(57)【要約】【課題】  変形させることによって上面に使用者が腰掛可能又は物を載置可能な腰掛兼物置台として活用でき、ベッドを分解することなくベッドの長さ又は幅を伸長できるベッドサイズ拡張具を提供すること。【解決手段】  ベッドサイズ拡張具は、複数の直方体のクッション２１〜２４からなり、クッション２１〜２４は、上面視での長軸及び／又は正面視での長軸が並列となるように配置された状態で一体となっているものの上面に使用者が腰掛可能又は物が載置可能となっており、クッション２１，２４は、上面視での長軸が直列となるように配置された状態で、ベッド１０のヘッドボード１１とマットレス１２との間に挟みこまれ、クッション２２，２３は上面視での長軸が直列となるように配置された状態で、マットレス１２のベッド本体１３からはみ出た部分と床との間に挟みこまれるようになっている。【選択図】  図３
0003164214.tif 000002
【実用新案登録請求の範囲】
【請求項１】
複数の直方体のクッションからなり、
これらの複数のクッションは、上面視での長軸及び／又は正面視での長軸が並列となるように配置された状態で一体となっているものの上面に使用者が腰掛可能又は物が載置可能となっているとともに、
前記複数のクッションの一部は、上面視での長軸が直列となるように配置された状態で、ベッドのヘッドボードとマットレスとの間、又は、前記ベッドのベッド本体が着接している壁と前記マットレスとの間に挟みこまれ、複数のクッションの一部以外の残りは、上面視での長軸が直列となるように配置された状態で、前記マットレスの前記ベッド本体からはみ出た部分と床との間に挟みこまれることによって、前記ベッドの長さ又は幅を伸長できることを特徴とするベッドサイズ拡張具。
【請求項２】
複数の前記クッションは、互いに連結されている、又は、互いに連結可能となっていることを特徴とする請求項１に記載のベッドサイズ拡張具。
【請求項３】
複数のクッションの一部は、上面視での長軸が直列となるように配置された状態での高さが、前記マットレスの高さと略同一となっており、
複数のクッションの一部以外の残りは、上面視での長軸が直列となるように配置された状態での高さが、前記ベッドが設置されている部屋の床から前記ベッド本体の上面までの高さと略同一となっていることを特徴とする請求項１又は２に記載のベッドサイズ拡張具。
【請求項４】
複数の直方体のクッションからなり、
これらの複数のクッションは、上面視での長軸が並列となるように配置された状態で一体となっているものの上面に使用者が腰掛可能又は物が載置可能となっているとともに、
前記複数のクッションは、上面視での長軸が直列となるように配置された状態で、ベッドのヘッドボートとベッド本体との間、又は、前記ベッド本体が着接している壁と前記ベッド本体との間に挟みこまれることによって前記ベッドの長さ又は幅を伸長することを特徴とするベッドサイズ拡張具。
【請求項５】
前記複数クッションは、互いに連結されている、又は、互いに連結可能となっていることを特徴とする請求項４に記載のベッドサイズ拡張具。
【請求項６】
前記複数のクッションは、上面視での長軸が直列となるように配置された状態での高さが、前記ベッドが設置されている部屋の床から前記マットレスの上面までの高さと略同一となっていることを特徴とする請求項４又は５に記載のベッドサイズ拡張具。
【考案の詳細な説明】
【技術分野】
【０００１】
本考案は、ベッドの長さ及び／又は幅を伸長することができるベッドサイズ拡張具に関する。
【背景技術】
【０００２】
ホテルの部屋、病院の病室又は一般家庭の寝室等にはベッドが備え付けられている。ホテルの部屋の客、病院の病室の患者が次々と入れ替わるため、様々な体格の使用者がベッドを使用することとなる。
【０００３】
備え付けられているベッドでは、身長の高い人の体がはみだしてしまうことがあった。身長の高い人用の特大サイズのベッドを予め準備しておくことも考えられるが、その特大サイズのベッドと通常備え付けられているベッドの入れ替えには手間がかかるとともに、特大サイズのベッドを保管するスペースが必要となる。
【０００４】
また、一般家庭の寝室では、例えば、子どもの成長とともにベッドを買い換えることで、古いベッドが廃棄されゴミとなることによって、環境に悪影響を及ぼす場合がある。
【０００５】
そこで、ベッドの長さを伸長することを目的として、特許文献１に示すようなベッド伸長用具がある。このベッド伸長用具は、ベッド枠体にベッド用マットレスを載置するベッドであってベッド枠体の一端部におけるヘッド部材がベッド枠体の残部に対して着脱可能に連結してあるベッドを就寝者の身長に応じて伸長することを目的とし、ベッド枠体残部とそれから取り外したヘッド部材との間に配置して該ベッド枠体残部とヘッド部材の両者に連結でき、上面に枕を載置して用いることができ、ベッド枠体残部及びヘッド部材の両者に連結された使用状態において枕を載置する上面がベッド枠体残部に載置したマットレスの上面と略同じ高さに位置するようになっている。
【先行技術文献】
【特許文献】
【０００６】
【特許文献１】特開２００２−５１８７４
【考案の概要】
【考案が解決しようとする課題】
【０００７】
しかしながら、特許文献１に示すようなベッド伸長用具は、ベッドを伸長している場合であってもベッドを伸長していない場合であっても長尺物であるため、特にベッドを伸長していない場合においてベッド伸長用具の置き場の確保が困難である問題がある。さらにベッド伸長用具を取り付けるためにベッド枠体残部及びヘッド部材を分解する必要がある手間がかかるという問題がある。
【０００８】
上記点より本考案は、ベッドサイズを拡張していない場合には、変形させることによって上面に使用者が腰掛可能又は物を載置可能な腰掛兼物置台として活用することができるとともに、ベッドを分解することなくベッドの長さ又は幅を伸長させることができるベッドサイズ拡張具を提供することを目的とする。
【課題を解決するための手段】
【０００９】
上記課題を解決するため請求項１のベッドサイズ拡張具は、複数の直方体のクッションからなり、これらの複数のクッションは、上面視での長軸及び／又は正面視での長軸が並列となるように配置された状態で一体となっているものの上面に使用者が腰掛可能又は物が載置可能となっているとともに、前記複数のクッションの一部は、上面視での長軸が直列となるように配置された状態で、ベッドのヘッドボードとマットレスとの間、又は、前記ベッドのベッド本体が着接している壁と前記マットレスとの間に挟みこまれ、複数のクッションの一部以外の残りは、上面視での長軸が直列となるように配置された状態で、前記マットレスの前記ベッド本体からはみ出た部分と床との間に挟みこまれることによって、前記ベッドの長さ又は幅を伸長できるようになっている。
【００１０】
この請求項１のベッドサイズ拡張具によれば、ベッドサイズ拡張具は、ベッドを伸長していない場合において腰掛兼物置台として活用できるので、ベッドサイズ拡張具としての置き場の確保をする必要がない。
【００１１】
また、ベッドサイズ拡張具は、上記のように、複数のクッションの一部が前記ベッドのヘッドボードと前記マットレスとの間挟みこまれ、複数のクッションの一部以外の残りがマットレスの前記ベッド本体からはみ出た部分と床との間に挟みこまれることによって、ベッドを分解することなくベッドの長さを伸長させることができる。
【００１２】
また、ヘッドボードが存在しないベッドにおいては、複数のクッションの一部がベッド本体の長さ方向に対向する側面が着接している壁とマットレスとの間に挟みこまれ、複数のクッションの一部以外の残りがマットレスの前記ベッド本体からはみ出た部分と床との間に挟みこまれることによって、ベッドを分解することなくベッドの長さを伸長させることができる。
【００１３】
さらに、複数のクッションの一部がベッド本体の幅方向に対向する側面が着接している壁とマットレスとの間に挟みこまれ、複数のクッションの一部以外の残りがマットレスの前記ベッド本体からはみ出た部分と床との間に挟みこまれることによって、ベッドを分解することなくベッドの幅を伸長させることができる。
【００１４】
請求項２のベッドサイズ拡張具は、請求項１に記載のベッドサイズ拡張具において、複数の前記クッションが互いに連結されている、又は、互いに連結可能となっている。
【００１５】
請求項２のベッドサイズ拡張具によれば、請求項１に記載のベッドサイズ拡張具と同様に作用する上、複数の前記クッションが互いに連結されている、又は、互いに連結可能となっていることによって、複数のクッションの一部及び複数のクッションの一部が以外の残りが上面視での長軸が直列となっている状態にセットした上でそれぞれ所定の位置に容易に挟みこむことができる。
【００１６】
また、複数のクッションが互いに連結されている、又は、互いに連結可能となっていることによって、複数のクッションが所定の位置に容易に挟みこまれた後、それぞれが独立にずれて上面に隙間や穴等が生じることを防止できる。
【００１７】
さらに、複数のクッションが上面視での長軸及び／又は正面視での長軸が並列となるように配置された状態で一体となっているものの上面に使用者が腰掛可能又は物を載置する際に、複数のクッションが不意に分裂してしまうことを防止することができる。
【００１８】
請求項３のベッドサイズ拡張具は、請求項１又は請求項２に記載のベッドサイズ拡張具において、複数のクッションの一部は、上面視での長軸が直列となるように配置された状態での高さが、前記マットレスの高さと略同一となっており、複数のクッションの一部以外の残りは、上面視での長軸が直列となるように配置された状態での高さが、前記ベッドが設置されている部屋の床から前記ベッド本体の上面までの高さと略同一となっている。
【００１９】
請求項３のベッドサイズ拡張具によれば、請求項１又は請求項２に記載のベッドサイズ拡張具と同様に作用する上、複数のクッションの一部及び複数のクッションの一部以外の残りが上記の構成となっていることによって、段差等が生じることなくベッドの長さ又は幅を伸長させることができる。
【００２０】
請求項４のベッドサイズ拡張具は、複数の直方体のクッションからなり、複数の前記クッションの上面視での長軸が並列となるように複数の前記クッションが配置された状態で一体となっているものの上面に使用者が腰掛可能又は物を載置可能となっているとともに、これらのクッションの上面視での長軸が直列となるように複数の前記クッションが配置された状態で、ベッドのヘッドボートとベッド本体との間、又は、前記ベッド本体が着接している壁と前記ベッド本体との間に挟みこまれることによって前記ベッドの長さ又は幅を伸長することを特徴とするベッドサイズ拡張具。
【００２１】
請求項４のベッドサイズ拡張具によれば、複数の前記クッションの上面視での長軸が並列となるように複数の前記クッションが配置された状態で一体となっているものの上面に使用者が腰掛可能又は物を載置可能となっているので、腰掛兼物置台として活用することができる。
【００２２】
また、例えばホテル等で使用される業務用のベッドでは、ベッドボードが壁面に貼り付けられており、ベッド本体と分離している。このようなベッドにおいて、ベッドサイズ拡張具が上記のように、ベッドのヘッドボートとベッド本体との間に挟みこまれることによって、ベッドを分解することなくベッドの長さを伸長させることができる。
【００２３】
また、ヘッドボードが存在しないベッドにおいては、ベッドサイズ拡張具がベッド本体の長さ方向に対向する側面が着接している壁とベッド本体との間に挟みこまれることによって、ベッドを分解することなくベッドの長さを伸長させることができる。
【００２４】
さらに、ベッドサイズ拡張具がベッド本体の幅方向に対向する側面が着接している壁とベッド本体との間に挟みこまれることによって、ベッドを分解することなくベッドの幅を伸長させることができる。
【００２５】
請求項５のベッドサイズ拡張具は、請求項４に記載のベッドサイズ拡張具において、前記複数クッションは、互いに連結されている、又は、互いに連結可能となっている。
【００２６】
請求項５のベッドサイズ拡張具によれば、請求項４に記載のベッドサイズ拡張具と同様に作用する上、互いに連結されている、又は、互いに連結可能となっていることによって、複数のクッションが上面視での長軸が直列となっている状態にセットした上でそれぞれ所定の位置に容易に挟みこむことができる。
【００２７】
また、複数のクッションが互いに連結されている、又は、互いに連結可能となっていることによって、複数のクッションが所定の位置に容易に挟みこまれた後、それぞれが独立にずれて上面に隙間や穴等が生じることを防止できる。
【００２８】
請求項６のベッドサイズ拡張具は、請求項４又は請求項５に記載のベッドサイズ拡張具において、前記複数のクッションは、上面視での長軸が直列となるように配置された状態での高さが、前記ベッドが設置されている部屋の床から前記マットレスの上面までの高さと略同一となっている。
【００２９】
請求項６のベッドサイズ拡張具によれば、請求項４又は請求項５に記載のベッドサイズ拡張具と同様に作用する上、複数のクッションが上記の構成となっていることによって、段差等が生じることなくベッドの長さ又は幅を伸長させることができる。
【考案の効果】
【００３０】
請求項１から６のいずれかの考案によれば、ベッドサイズを拡張していない場合には、変形させることによって上面に使用者が腰掛可能又は物を載置可能な腰掛兼物置台として活用することができるとともに、ベッドとの連結及び解結を必要とすることなく容易にベッドサイズを拡張することができる。
【図面の簡単な説明】
【００３１】
【図１】本考案の第一実施形態のベッドサイズ拡張具の斜視図である。
【図２】本考案の第一実施形態のベッドサイズ拡張具の斜視図である。
【図３】第一実施形態のベッドサイズ拡張具の使用例である。
【図４】第一実施形態のベッドサイズ拡張具の使用例である。
【図５】本考案の第二実施形態のベッドサイズ拡張具の斜視図である。
【図６】第二実施形態のベッドサイズ拡張具の使用例である。
【図７】第二実施形態のベッドサイズ拡張具の使用例である。
【考案を実施するための形態】
【００３２】
以下、本考案の第一実施形態のベッドサイズ拡張具１について図面に基づいて説明する。
【００３３】
図１に示すように、ベッドサイズ拡張具１は、４個の立方体のクッション２１，２２，２３，２４とからなる。
【００３４】
図１においては、上面視で、クッション２１の長軸とクッション２４との長軸が並列となっており、クッション２２の長軸とクッション２３との長軸が並列となっているとともに、正面視で、クッション２１の長軸とクッション２２との長軸が並列となっており、クッション２３の長軸とクッション２４との長軸が並列となっている。クッション２１〜２４は、このように配置された状態で一体となっており、その上面に使用者が腰掛可能又は物が載置可能となっている。
【００３５】
図２に示すように、ベッドサイズ拡張具１は、クッション２１とクッション２４とが連結されており、クッション２２とクッション２３とが連結されている。それぞれのクッション２１〜２４は、両クッションに面ファスナー、オープンファスナー等を設けて連結可能となっていてもよいし、両クッションを橋架するベロ部をそれぞれのクッションに固定することによって連結されていてもよい。
【００３６】
図１及び図２に示すように、クッション２２及び２３の底面には支持脚２２ａ，２３ａが設けられている。
【００３７】
以下、ベッドサイズ拡張具１の使用例について説明する。
【００３８】
図３に示すように、複数のクッションの一部であるクッション２１，２４は、上面視での長軸が直列となるように配置された状態で、ベッド１０のヘッドボード１１とマットレス１２との間に挟みこまれる。また、複数のクッションの一部以外の残りであるクッション２２，２３は、上面視での長軸が直列となるように配置された状態で、マットレス１２のベッド本体１３からはみ出た部分と床との間に挟みこまれる。このようにベッドサイズ拡張具１を使用することによって、ベッド１０の長さを伸長することができる。
【００３９】
図３に示すように、クッション２１，２４は、上面視での長軸が直列となるように配置された状態での高さが、マットレス１２の高さと略同一なっており、複数のクッションの一部以外の残りであるクッション２２，２３は、上面視での長軸が直列となるように配置された状態での高さが、ベッド１０が設置されている部屋の床からベッド本体１３の上面までの高さと略同一となっている。
【００４０】
また、ヘッドボードが存在しないベッドにおいては、複数のクッションの一部であるクッション２１，２４が、ベッド１０のヘッドボード１１とマットレス１２との間に挟みこまれる代わりに、ベッド本体１３の長さ方向に対向する側面が着接している壁とマットレス１２との間に挟みこまれることによって、ベッド１０の長さを伸長することができるようになっている。
【００４１】
次いで、クッション２１〜２４に比べて長尺の４個のクッション２５，２６，２７，２８からなるベッドサイズ拡張具１の使用例について説明する。図４に示すように、複数のクッションの一部であるクッション２５，２８がベッド本体１３の幅方向に対向する側面が着接している壁１４とベッド本体１３との間に挟みこまれ、複数のクッションの一部以外の残りであるクッション２６，２７がマットレス１２のベッド本体１３からはみ出た部分と床との間に挟みこまれる。このようにベッドサイズ拡張具１を使用することによってベッド１０の幅を伸長することができるようになっている。
【００４２】
以下、本考案の第二実施形態のベッドサイズ拡張具３について図面に基づいて説明する。
【００４３】
図５に示すように、ベッドサイズ拡張具３は、２個の立方体のクッション４１，４２とからなる。
【００４４】
図５においては、上面視で、クッション４１の長軸とクッション４２との長軸が並列となっている。クッション４１，４２は、このように配置された状態で一体となっているものの上面に使用者が腰掛可能又は物が載置可能となっている。
【００４５】
ベッドサイズ拡張具３は、クッション４１とクッション４２とが連結されている。クッション４１，４２は、第一実施形態と同様に、両クッションに面ファスナー、オープンファスナー等を設けて連結可能となっていてもよいし、両クッションを橋架するベロ部をそれぞれのクッションに固定することによって連結されていてもよい。
【００４６】
図１に示すように、クッション４１，４２の底面には支持脚４１ａ，４２ａが設けられている。
【００４７】
以下、ベッドサイズ拡張具３の使用例について説明する。
【００４８】
図６に示すように、クッション４１，４２は、上面視での長軸が直列となるように配置された状態で、ベッド１０のヘッドボート１１とベッド本体１３との間挟みこまれる。このようにベッドサイズ拡張具３を使用することによって、ベッド１０の長さを伸長することができる。
【００４９】
図６に示すように、クッション４１，４２は、上面視での長軸が直列となるように配置された状態での高さが、ベッド１０が設置されている部屋の床からマットレス１２の上面までの高さと略同一となっている。
【００５０】
また、ヘッドボードが存在しないベッドにおいては、クッション４１，４２が、ベッド１０のヘッドボード１１とベッド本体１３との間に挟みこまれる代わりに、ベッド本体１３の長さ方向に対向する側面が着接している壁とベッド本体１３との間に挟みこまれることによって、ベッド１０の長さを伸長することができるようになっている。
【００５１】
次いで、クッション４１，４２に比べて、長尺の２個のクッション４３，４４からなるベッドサイズ拡張具３の使用例について説明する。図７に示すように、クッション４３，４４がベッド本体１３の幅方向に対向する側面が着接している壁１４とベッド本体１３との間に挟みこまれる。このようにベッドサイズ拡張具３を使用することによってベッド１０の幅を伸長することができるようになっている。
【００５２】
上記第一実施形態では、ベッドサイズ拡張具１は、４個の立方体のクッション２１，２２，２３，２４とからなる場合について説明したが、これに限定されることなく、例えば、クッションの数が６個、８個などの偶数個であってもよい。
【００５３】
上記第一実施形態では、ベッドサイズ拡張具１は、クッション２１とクッション２４とが連結されており、クッション２２とクッション２３とが連結されている場合について説明したが、これに限定されることなく、例えば、クッション２１とクッション２２とが連結されており、クッション２３とクッション２４とが連結されていてもよい。
【００５４】
上記第二実施形態では、ベッドサイズ拡張具３は、２個の立方体のクッション２１，２２，２３，２４とからなる場合について説明したが、これに限定されることなく、クッションの数が例えば、３個、４個などの複数個であってもよい。
【００５５】
上記第一実施形態及び第二実施形態では、クッションの底面には支持脚が設けられている場合について説明したが、これに限定されることなく、支持脚がなくクッションの底面が直接接地するようになっていてもよい。
【００５６】
上記第一実施形態及び第二実施形態では、各クッションが連結されておらず、それぞれのクッションを独立して動かすことができるようになっていてもよい。
【００５７】
上記第一実施形態及び第二実施形態では、例えば、複数のクッションが一体となっているものの外周をベルトで巻回することによって、複数のクッションが一体となっている状態を維持できるものであってもよいし、各隣接するクッション同士を橋架するベロ部がもうけられていてもよい。
【符号の説明】
【００５８】
１，３                          ベッドサイズ拡張具
１０                            ベッド
１１                            ヘッドボード
１２                            マットレス
１３                            ベッド本体
１４                            壁
２１〜２８，４１〜４４          クッション
２２ａ，２３ａ，４１ａ，４２ａ  支持脚
【図１】
0003164214.tif 000003
【図２】
0003164214.tif 000004
【図３】
0003164214.tif 000005
【図４】
0003164214.tif 000006
【図５】
0003164214.tif 000007
【図６】
0003164214.tif 000008
【図７】
0003164214.tif 000009